(57)【要約】      （修正有）【課題】暗闇の環境下で第１照明ユニットを点灯し、暗闇中にユーザが誤って電源コンセントに触れて感電事故が発生することを防止でき、ユーザが暗闇の環境下でも電気負荷を電源に接続しやすくなる非常検知用コンセントパネルの保安灯を提供する。【解決手段】非常検知用コンセントパネルの保安灯は、ケース１０を含み、コンセント本体に係合して取り付けられる。ケース全面には透明のランプカバー１４が設けられ、ケース中間には、コンセント本体を露出させる収容孔が開設される。ケース内には、制御回路基板が取り付けられ、制御回路基板上には、電源モジュールと、第１照明ユニットと、光電スイッチング回路とが設けられる。電源モジュールは、コンセント本体から出力された商用電源を直流電源に変換する。光電スイッチング回路は、第１照明ユニットと電源モジュールとの間に接続され、外部環境の輝度が所定値以下の場合に第１照明ユニットが発光するように制御する。【選択図】図１a
0003210768.tif 000002
【実用新案登録請求の範囲】
【請求項１】
コンセント本体に係合して取り付けられる非常検知用コンセントパネルの保安灯であって、
ケースを含み、
前記ケースの中間には、コンセント本体を露出させる収容孔が開設され、
前記ケース内には、制御回路基板が取り付けられ、
前記制御回路基板上には、電源モジュールと、第１照明ユニットと、光電スイッチング回路とが設けられ、
前記電源モジュールは、前記コンセント本体から出力された商用電源を直流電源に変換し、
前記光電スイッチング回路は、前記第１照明ユニットと電源モジュールとの間に接続され、かつ外部環境の輝度が所定値以下の場合に前記第１照明ユニットが発光するように制御することを特徴とする非常検知用コンセントパネルの保安灯。
【請求項２】
前記ケースの前面の、前記第１照明ユニットに対応する位置には、透明のランプカバーが設けられることを特徴とする請求項１に記載の非常検知用コンセントパネルの保安灯。
【請求項３】
前記ケースの前面の、光電スイッチに対応する位置には、透光孔が設けられることを特徴とする請求項１に記載の非常検知用コンセントパネルの保安灯。
【請求項４】
前記ケースは、前面パネル及び後面パネルを含み、
前記前面パネルと後面パネルとは、互いに係合して両者の間に収容キャビティが形成され、
前記収容キャビティには、前記制御回路基板が取り付けられ、
前記前面パネル及び後面パネルのいずれの中間には、前記収容孔が開設されることを特徴とする請求項１に記載の非常検知用コンセントパネルの保安灯。
【請求項５】
前記前面パネルにおける収容孔内には、前ケースカバーシートが嵌着され、
前記前ケースカバーシート上には、前記コンセント本体の挿し口の位置に対応して前記コンセント本体の挿し口を露出させる貫通孔が開設されることを特徴とする請求項４に記載の非常検知用コンセントパネルの保安灯。
【請求項６】
前記貫通孔の数は、前記コンセント本体の挿し口の数に対応することを特徴とする請求項５に記載の非常検知用コンセントパネルの保安灯。
【請求項７】
前記前ケースカバーシート上には、ネジ孔が開設されて前記コンセント本体を固定させることを特徴とする請求項５に記載の非常検知用コンセントパネルの保安灯。
【請求項８】
前記ケース上には、前記電源モジュールに電気的に接続される導電端子がさらに取り付けられ、
前記導電端子は、前記コンセント本体に電気的に接続されることを特徴とする請求項１に記載の非常検知用コンセントパネルの保安灯。
【請求項９】
前記導電端子は、前記コンセント本体の両側の導電シートの位置に対応して前記電源モジュールに電気的に接続される第１導電シートと、前記第１導電シートの外側に位置する位置制限シートとを含み、
前記非常検知用コンセントパネルの保安灯が前記コンセント本体に係合して取り付けられた場合、前記第１導電シートは、前記コンセント本体の両側の導電シートと前記位置制限シートとの間に当接し、かつ前記コンセント本体の両側の導電シートに電気的に接続されることを特徴とする請求項８に記載の非常検知用コンセントパネルの保安灯。
【請求項１０】
前記導電端子は、前記コンセント本体における１組の挿し口の位置に対応して前記電源モジュールに電気的に接続されるプラグを含み、
前記非常検知用コンセントパネルの保安灯が前記コンセント本体に係合して取り付けられた場合、前記プラグは、前記コンセント本体における１組の挿し口内に挿入接続されることを特徴とする請求項８に記載の非常検知用コンセントパネルの保安灯。
【請求項１１】
前記制御回路基板上には、回路がオンになった時における瞬間的な火花を防止するための消弧機構がさらに設けられ、
前記消弧機構は、前記制御回路基板にそれぞれ電気的に接続される２つの第２導電シートを含み、
２つの前記第２導電シートは弾性的に接触して回路を導通させ、
前記ケースの２つの前記第２導電シートの接触箇所には、挿し孔が設けられ、
前記挿し孔に絶縁シートが挿入されて２つの前記第２導電シートを隔離させることにより、回路がオンになった時における消弧効果を得ることを特徴とする請求項１に記載の非常検知用コンセントパネルの保安灯。
【請求項１２】
前記光電スイッチング回路は、ＮＰＮ型トランジスタＱ１と、ＰＮＰ型トランジスタＱ２と、光電スイッチＤ１とを含み、
前記トランジスタＱ１は、コレクタが電気抵抗Ｒ２を介して前記直流電源に接続され、エミッタがアースに接続され、ベースが電気抵抗Ｒ１を介して前記直流電源に接続され、
前記光電スイッチＤ１は、前記トランジスタＱ１のベースとそのエミッタとの間に接続され、
前記トランジスタＱ２は、エミッタが電気抵抗Ｒ３を介して前記直流電源に接続され、ベースが前記トランジスタＱ１のコレクタに接続され、コレクタが前記第１発光ユニットに接続されることを特徴とする請求項１に記載の非常検知用コンセントパネルの保安灯。
【請求項１３】
前記制御回路基板上には、切換スイッチ回路Ｓがさらに設けられ、
前記切換スイッチ回路Ｓは、電源信号入力端子と、第１出力端子と、第２出力端子と、第３出力端子とを含み、
前記電源信号入力端子は、前記直流電源に接続され、
前記第１出力端子は、前記光電スイッチング回路の入力端子に接続され、
前記第２出力端子は、電気抵抗Ｒ５を介して前記光電スイッチング回路の入力端子に接続され、
前記第３出力端子は、どこにも接続されず、
前記切換スイッチ回路Ｓは、前記直流電源を、第１出力端子、第２出力端子、または、第３出力端子に選択的に供給することを特徴とする請求項１に記載の非常検知用コンセントパネルの保安灯。
【請求項１４】
前記制御回路基板上には、定電圧モジュールと、蓄電池と、非常用切換スイッチ回路と、第２照明ユニットとがさらに設けられ、
前記定電圧モジュールは、前記電源モジュールから出力された直流電源を、予め設定された定電圧に変換して蓄電池へ供給し、
前記蓄電池は、前記第２照明ユニットに給電し、
前記非常用切換スイッチ回路は、前記蓄電池と第２照明ユニットとの間に接続され、
前記非常用切換スイッチ回路の制御端子は、前記電源モジュールに接続され、かつ前記電源モジュールが給電を停止した場合に前記第２照明ユニットが発光するように制御することを特徴とする請求項１に記載の非常検知用コンセントパネルの保安灯。
【請求項１５】
前記非常用切換スイッチ回路は、電気抵抗Ｒ３と、電気抵抗Ｒ４と、ＰＮＰ型トランジスタＱ３とを含み、
前記電気抵抗Ｒ３と電気抵抗Ｒ４とは、直列接続して前記直流電源とアースとの間に接続され、
前記トランジスタＱ３は、ベースが前記電気抵抗Ｒ３と電気抵抗Ｒ４との接点に接続され、エミッタが前記蓄電池の出力端子に接続され、コレクタが前記第２照明ユニットに接続されることを特徴とする請求項１４に記載の非常検知用コンセントパネルの保安灯。
【請求項１６】
前記制御回路基板上には、切換スイッチ回路Ｓがさらに設けられ、
前記切換スイッチ回路Ｓは、蓄電信号入力端子と、第４出力端子と、第５出力端子とを含み、
前記蓄電信号入力端子は、前記蓄電池の出力端子に接続され、
前記第４出力端子は、前記非常用切換スイッチ回路の入力端子に接続され、
第５出力端子は、何も接続されなく、
前記切換スイッチ回路Ｓは、前記蓄電池から出力された電気信号を、第４出力端子と第５出力端子とに選択的に送信することを特徴とする請求項１４に記載の非常検知用コンセントパネルの保安灯。
【請求項１７】
前記切換スイッチ回路Ｓは、Ｋ１５−１スイッチであり、
前記切換スイッチ回路は、第１ピンが前記光電スイッチング回路の入力端子に接続され、第２ピンが電気抵抗Ｒ５を介して前記光電スイッチング回路の入力端子に接続され、第３ピン及び第４ピンのいずれも前記直流電源に接続され、第５ピンと第６ピンと第７ピンとが何も接続されなく、第８ピンと第９ピンと第１２ピンとが前記非常用切換スイッチ回路の入力端子に接続され、第１０ピンと第１１ピンとが前記蓄電池の出力端子に接続されることを特徴とする請求項１６に記載の非常検知用コンセントパネルの保安灯。
【考案の詳細な説明】
【技術分野】
【０００１】
本考案は照明器具分野に関し、特に非常検知灯付きのプラグ板の取付座に関する。
【背景技術】
【０００２】
技術の発展及び人々の生活水準の向上に伴い、家電機器、携帯電話及び電話などの様々な電子端末は、人々にとって日常生活に欠かさないものとなる。電源コンセントは、家電機器に電源コネクタを供給するための装置として、人々の生活に大きく関与している。このため、安全性に問題がある電源コンセントは、電気ショックや電気火災事故の原因となることが多い。そこで、電源コンセントの設計は、住宅における電気の安全性を評価する重要な指標となっている。
【０００３】
従来の電源コンセント、特に壁埋込型の電源コンセントは、通常、ベースフレームと、前記ベースフレーム内に取り付けられるコンセント本体と、前記コンセント本体に係合して取り付けられ且つ前記コンセント本体を露出させるコンセントパネルとを含む。しかしながら、従来のコンセントパネルは、装飾作用しか発揮できず、人間に対して適時にセキュリティ警告するには至っていない。例えば、乳幼児が家にいる場合には、暗闇中に指がコンセントに触れて感電事故が発生しやすい。さらに、薄暗い場所で電気負荷のプラグをコンセントに挿入するときにも操作が不便になる。そこで、従来の電源コンセントを改良して在宅の人々の要求を満たすことが求められている。
【考案の概要】
【考案が解決しようとする課題】
【０００４】
本考案の目的は、環境の輝度を検知して非常用照明を供給し、人々に対して電気安全性を向上させることが可能な非常検知用コンセントパネルの保安灯を提供することである。
【課題を解決するための手段】
【０００５】
上記目的を達成するために、本考案に係る非常検知用コンセントパネルの保安灯は、コンセント本体に係合して取り付けられ、ケースを含む。前記ケースの中間には、コンセント本体を露出させる収容孔が開設される。前記ケース内には、制御回路基板が取り付けられる。前記制御回路基板上には、電源モジュールと、第１照明ユニットと、光電スイッチング回路とが設けられる。前記電源モジュールは、前記コンセント本体から出力された商用電源を直流電源に変換する。前記光電スイッチング回路は、前記第１照明ユニットと電源モジュールとの間に接続され、かつ外部環境の輝度が所定値以下の場合に前記第１照明ユニットが発光するように制御する。
【０００６】
従来技術に比べて、本考案に係る非常検知用コンセントパネルの保安灯では、ケース内に照明ユニット付きの制御回路基板が設置され、光電スイッチング回路によって照明ユニットの明暗が制御され、前記ケースが前記コンセント本体に係合して取り付けられた場合、電源モジュールが前記コンセント本体の電源端子に電気的に接続される。その際、外部光線が暗すぎると（夜または暗室中）、光電スイッチング回路は、前記電源モジュールが第１照明ユニットに給電するように制御することで、第１照明ユニットを点灯させる。このように、本考案に係る非常検知用コンセントパネルの保安灯は、暗闇中にユーザが誤って電源コンセントに触れて感電事故が発生することが防止でき、さらにユーザが暗闇の環境下でも電気負荷を電源に挿入接続しやすくなり、家庭電力の給電分野に幅広く適用されることができる。
【０００７】
好ましくは、前記ケースの前面の、前記照明ユニットに対応する位置には、透明のランプカバーが設けられる。前記ランプカバーによれば、前記非常検知用コンセントパネルの保安灯の見栄えを良くする以外に、前記照明ユニットを効果的に保護することができる。ここで、前記照明ユニットは、前記制御回路基板上に粘着されたＬＥＤランプである。
【０００８】
好ましくは、前記ケースの前面の、前記光電スイッチに対応する位置には、透光孔が設けられる。
好ましくは、前記ケースは、前面パネル及び後面パネルを含む。前記前面パネルと後面パネルとは、互いに係合して両者の間に収容キャビティが形成される。前記収容キャビティには、前記制御回路基板が取り付けられる。前記前面パネル及び後面パネルのいずれの中間には、前記収容孔が開設される。
【０００９】
具体的に、前記前面パネルにおける収容孔には、前ケースカバーシートが嵌着される。前記前ケースカバーシート上には、前記コンセント本体の挿し口の位置に対応して前記コンセント本体の挿し口を露出させる貫通孔が開設される。このような構成によれば、前記非常検知用コンセントパネルの保安灯がコンセント本体に係合して取り付けられた後、前記コンセント本体の挿し口のみを外部に露出させる。より具体的に、前記貫通孔の数は、前記コンセント本体の挿し口の数に対応する。さらに具体的に、前記前ケースカバーシート上には、ネジ孔が開設されて前記コンセント本体を固定させる。これにより、前記非常検知用コンセントパネルの保安灯をコンセント本体に、より一層強固に取り付けることができる。
【００１０】
好ましくは、前記ケース上には、前記電源モジュールに電気的に接続される導電端子がさらに取り付けられる。前記導電端子は、前記コンセント本体に電気的に接続される。当然ながら、本考案では、リード線での溶接または他の方法で電源モジュールを、コンセント本体の導電端子または挿し口に電気的に接続してもよい。
【００１１】
具体的に、前記導電端子は、前記コンセント本体の両側の導電シートの位置に対応して前記電源モジュールに電気的に接続される第１導電シートと、前記第１導電シートの外側に位置する位置制限シートとを含む。前記非常検知用コンセントパネルの保安灯が前記コンセント本体に係合して取り付けられた場合、前記第１導電シートは、前記コンセント本体の両側の導電シートと前記位置制限シートとの間に当接し、かつ前記コンセント本体の両側の導電シートに電気的に接続される。
【００１２】
具体的に、前記導電端子は、前記コンセント本体における１組の挿し口の位置に対応して前記電源モジュールに電気的に接続されるプラグを含む。前記非常検知用コンセントパネルの保安灯が前記コンセント本体に係合して取り付けられた場合、前記プラグは、前記コンセント本体における１組の挿し口内に挿入接続される。これにより、前記非常検知用コンセントパネルの保安灯とコンセント本体の組立てを容易にすることができる。
【００１３】
好ましくは、前記制御回路基板上には、回路がオンになった時における瞬間的な火花を防止するための消弧機構がさらに設けられる。前記消弧機構は、前記制御回路基板にそれぞれ電気的に接続される２つの第２導電シートを含む。２つの前記第２導電シートは弾性的に接触して回路を導通させる。前記ケースの２つの前記第２導電シートの接触箇所には、挿し孔が設けられる。前記挿し孔に絶縁シートが挿入されて２つの前記第２導電シートを隔離させることにより、回路をオンにさせる。
【００１４】
好ましくは、前記光電スイッチング回路は、ＮＰＮ型トランジスタＱ１と、ＰＮＰ型トランジスタＱ２と、光電スイッチＤ１とを含む。前記トランジスタＱ１は、コレクタが電気抵抗Ｒ２を介して前記直流電源に接続され、エミッタがアースに接続され、ベースが電気抵抗Ｒ１を介して前記直流電源に接続される。前記光電スイッチＤ１は、前記トランジスタＱ１のベースとそのエミッタとの間に接続される。前記トランジスタＱ２は、エミッタが電気抵抗Ｒ３を介して前記直流電源に接続され、ベースが前記トランジスタＱ１のコレクタに接続され、コレクタが前記第１照明ユニットに接続される。当然ながら、前記光電スイッチング回路は、他の構成の制御回路であってもよいが、上述した構成に限定されない。
【００１５】
好ましくは、前記制御回路基板上には、切換スイッチ回路Ｓがさらに設けられる。前記切換スイッチ回路Ｓは、電源信号入力端子と、第１出力端子と、第２出力端子と、第３出力端子とを含む。前記電源信号入力端子は、前記直流電源に接続される。前記第１出力端子は、前記光電スイッチング回路の入力端子に接続される。前記第２出力端子は、電気抵抗Ｒ５を介して前記光電スイッチング回路の入力端子に接続される。前記第３出力端子は、何も接続されていない。前記切換スイッチ回路Ｓは、前記直流電源を、第１出力端子、第２出力端子、または、第３出力端子に選択的に供給する。上述した構成によれば、前記非常検知用コンセントパネルの保安灯から高輝度の常夜灯及び低輝度の常夜灯を供給することが可能であり、即ち、外部光線が暗すぎると、第１照明ユニットが高輝度光または低輝度光を選択的に発光するように制御する。
【００１６】
好ましくは、前記制御回路基板上には、定電圧モジュールと、蓄電池と、非常用切換スイッチ回路と、第２照明ユニットとがさらに設けられる。前記定電圧モジュールは、前記電源モジュールから出力された直流電源を、予め設定された定電圧に変換して蓄電池へ供給する。前記蓄電池は、前記第２照明ユニットに給電する。前記非常用切換スイッチ回路は、前記蓄電池と第２照明ユニットとの間に接続される。  前記非常用切換スイッチ回路の制御端子は、前記電源モジュールに接続され、前記電源モジュールが給電を停止した場合に前記第２照明ユニットが発光するように制御する。商用電源が正常の場合、前記定電圧モジュールは前記蓄電池を充電する一方、商用電源が切れた場合、前記非常用切換スイッチ回路は、蓄電池が前記第２照明ユニット２９に給電するように制御して前記第２照明ユニットを点灯させる。こうすることで、商用電源が切れた場合でも非常用照明が実現される。
【００１７】
具体的に、前記非常用切換スイッチ回路は、電気抵抗Ｒ３と、電気抵抗Ｒ４と、ＰＮＰ型トランジスタＱ３とを含む。前記電気抵抗Ｒ３と電気抵抗Ｒ４とは、直列接続して前記直流電源とアースとの間に接続される。前記トランジスタＱ３は、ベースが前記電気抵抗Ｒ３と電気抵抗Ｒ４との接点に接続され、エミッタが前記蓄電池の出力端子に接続され、コレクタが前記第２照明ユニットに接続される。当然ながら、前記非常用切換スイッチ回路は、他の構成の制御回路であってもよいが、上述した構成に限定されない。
【００１８】
具体的に、前記制御回路基板上には、切換スイッチ回路Ｓがさらに設けられる。前記切換スイッチ回路Ｓは、蓄電信号入力端子と、第４出力端子と、第５出力端子とを含む。前記蓄電信号入力端子は、前記蓄電池の出力端子に接続される。前記第４出力端子は、前記非常用切換スイッチ回路の入力端子に接続される。第５出力端子は、何も接続されていない。前記切換スイッチ回路Ｓは、前記蓄電池から出力された電気信号を、第４出力端子と第５出力端子とに選択的に送信する。前記切換スイッチ回路は、前記第１照明ユニットを制御する切換スイッチ回路と同じであってもよいし、異なっていてもよい。さらに、前記切換スイッチ回路は、複数のオンオフスイッチからなってもよい。上述した構成によれば、本考案に係る非常検知用コンセントパネルの保安灯では、出荷時や操作員に必要がない時に、電源切れに対する応急機能を停止することができる。
【００１９】
具体的に、前記切換スイッチ回路Ｓは、Ｋ１５−１スイッチである。前記切換スイッチ回路は、第１ピンが前記光電スイッチング回路の入力端子に接続され、第２ピンが電気抵抗Ｒ５を介して前記光電スイッチング回路の入力端子に接続され、第３ピン及び第４ピンのいずれも前記直流電源に接続され、第５ピンと第６ピンと第７ピンとが何も接続されなく、第８ピンと第９ピンと第１２ピンとが前記非常用切換スイッチ回路の入力端子に接続され、第１０ピンと第１１ピンとが前記蓄電池の出力端子に接続される。
上述した構成によれば、前記切換スイッチ回路Ｓは、ＡＣパワーダウン時における応急を行って高輝度の常夜灯を点灯する第１機能と、ＡＣパワーダウン時における応急を行って低輝度の常夜灯を点灯する第２機能と、ＡＣパワーダウン時における応急を行うのみの第３機能と、全ての応急機能を停止する第４機能との４つの機能を有する。また、上述した構成によれば、当業者は、実際の必要に応じて上記機能を組み合わせてもよい。その際、当業者は、必要に応じて型番の異なる切換スイッチ回路を選択するか、または上記Ｋ１５−１スイッチの入出力端子を設計してもよい。即ち、前記切換スイッチ回路Ｓの具体的な型番及び接続関係は、上述したピン及びその接続に限定されない。
【図面の簡単な説明】
【００２０】
【図１ａ】図１ａは、本考案に係る非常検知用コンセントパネルの保安灯の斜視図である。
【図１ｂ】図１ｂは、図１ａに示す非常検知用コンセントパネルの保安灯の他の角度からの斜視図である。
【図２】図２は、本考案の制御回路基板の回路図である。
【図３】図３は、図１に示す非常検知用コンセントパネルの保安灯を示す分解図である。
【図４ａ】図４ａは、図１に示す非常検知用コンセントパネルの保安灯を示す組立図である。
【図４ｂ】図４ｂは、図１に示す非常検知用コンセントパネルの保安灯を示す組立図である。
【図５】図５は、本考案の第２実施形態に係る非常検知用コンセントパネルの保安灯の斜視図である。
【図６】図６は、本考案の第２実施形態に係る非常検知用コンセントパネルの保安灯を示す分解図である。
【図７】図７は、図５に示す非常検知用コンセントパネルの保安灯を示す組立図である。
【図８】図８は、図５に示す非常検知用コンセントパネルの保安灯を示す組立図である。
【考案を実施するための形態】
【００２１】
以下、添付の図面及び好適な実施形態を参照して本考案を詳しく説明する。ただし、本考案は以下の説明によって制限されるものではない。
【００２２】
図１ａ乃至図４を示すように、本考案に係る非常検知用コンセントパネルの保安灯１００は、ケース１０を含み、かつコンセント本体４０に係合して取り付けられる。前記ケース１０の中間には、コンセント本体４０を露出させる収容孔１０１が開設される。前記ケース１０内には、制御回路基板２０が取り付けられる。図２に示すように、前記制御回路基板２０上には、電源モジュール２１と、第１照明ユニット２２と、光電スイッチング回路２３とが設けられる。前記電源モジュール２１は、前記コンセント本体４０から出力される商用電源を直流電源に変換する。前記光電スイッチング回路２３は、前記第１照明ユニット２２と電源モジュール２１との間に接続され、外部環境の輝度が所定値以下の場合に前記第１照明ユニット２２が発光するように制御する。前記コンセント本体４０は、二相式コンセント、三相式コンセント、または、混合式コンセントであってもよい。前記第１照明ユニット２２は、その上に粘着されたＬＥＤランプである。従来技術に比べて、本考案に係る非常検知用コンセントパネルの保安灯１００は、前記光電スイッチＤ１で外部環境の輝度を検知して第１照明ユニット２２の点灯または消灯を制御することにより、暗闇の環境下で第１照明ユニット２２を点灯して、暗闇中にユーザが誤って電源コンセントに触れることで、感電事故が発生することを防止し、ユーザが暗闇の環境下でも電気負荷を電源に容易に接続させることができる。
【００２３】
図３に示すように、本考案の好適な実施形態において、ケース１０は、前面パネル１１と後面パネル１２とを含む。前面パネル１１と後面パネル１２とは、互いに係合して両者の間に収容キャビティが形成される。前記収容キャビティには、前記制御回路基板２０が取り付けられる。前記前面パネル１１及び後面パネル１２のいずれの中間には、前記収容孔１０１が開設される。当然ながら、前記第１照明ユニット２２は、他の発光素子であってもよい。また、図３に示すように、本実施形態において、前面パネル１１及び後面パネル１２は、ネジ１７を介して係合される。前面パネル１１におけるネジ孔領域には、絶縁のためのゴム栓部材１６が設けられ、後面パネル１２のネジ孔領域には、絶縁のためのネジキャップ１８が設けられる。
【００２４】
図１ａに示すように、前記前面パネル１１の前記光電スイッチＤ１に対応する位置には、透光孔１３が設けられて前記光電スイッチＤ１を露出させる。前面パネル１１の第１照明ユニット２２に対応する領域には、透明のランプカバー１４が設けられる。ＬＥＤランプが点灯する場合、ランプ光はランプカバー１４を透過して照射される。当然ながら、ＬＥＤランプに対応する位置には、透光孔が開設されてもよい。
【００２５】
また、図３に示すように、前記前面パネル１１の収容孔１０１内には、前ケースカバーシート５０が嵌着される。前記前ケースカバーシート５０上には、前記コンセント本体４０の挿し口位置に対応する貫通孔５２が開設されて前記コンセント本体４０の挿し口を露出させる。本実施形態において、前記貫通孔５２は２つであり、その数はコンセント本体４０の挿し口の数に対応する。具体的に、２つの前記貫通孔５２の間にネジ孔５１が設けられることで前記コンセント本体４０を固定させる。
【００２６】
図１ｂ及び図３に示すように、前記ケース１０の後面パネル１２上には、前記電源モジュール２１に電気的に接続される導電端子３０が取り付けられる。前記導電端子３０は、前記コンセント本体４０に電気的に接続して商用電源に接続される。具体的に、本実施形態において、前記導電端子３０は、前記コンセント本体４０の両側の導電シート４１位置に対応して前記電源モジュール２１に電気的に接続される第１導電シート３１と、前記第１導電シート３１の外側に位置する位置制限シート３２とを含む。図４ａ及び図４ｂに示すように、前記コンセント本体４０は、ベースフレーム内に取り付けられる。前記非常検知用コンセントパネルの保安灯１００が前記コンセント本体４０に係合して取り付けられた場合、前記第１導電シート３１は、前記コンセント本体４０の両側の導電シート４２と前記位置制限シート３２との間に当接し、かつ前記コンセント本体４０の両側の導電シート４２に電気的に接続される。前記コンセント本体４０の２つの挿し口は、前記前ケースカバーシート５０の貫通孔５２内に露出する。しかも、コンセント本体４０は、ネジ孔５１を介して前記前ケースカバーシート５０上に固定される。
【００２７】
図３に示すように、制御回路基板２０上には、回路がオンになった時における瞬間的な火花を防止するための消弧機構がさらに設けられることが好ましい。具体的に、前記消弧機構は、制御回路基板２０における回路にそれぞれ接続される２つの第２導電シート２６を含む。２つの第２導電シート２６は、弾性的に接触して回路を導通させる。ケース１０では、２つの前記第２導電シート２６の接触箇所に挿入孔１５が設けられ、前記挿入孔１５に絶縁シート２５が挿入されることで、回路がオンになった時に消弧効果を得ることができる。非常検知用コンセントパネルの保安灯が商用電源に接続されると、絶縁シート２５を挿し孔１５に挿入して２つの第２導電シート２６を隔離させ、接続された後、絶縁シート２５を抜き出すことで、非常検知コンセントパネル保安灯を商用電源に接続した際に生じる瞬間的な火花を防止することができる。
【００２８】
図２に示すように、前記光電スイッチング回路２３は、ＮＰＮ型トランジスタＱ１と、ＰＮＰ型トランジスタＱ２と、光電スイッチＤ１とを含む。前記トランジスタＱ１は、コレクタが電気抵抗Ｒ２を介して前記直流電源に接続され、エミッタがアースに接続され、ベースが電気抵抗Ｒ１を介して前記直流電源に接続される。前記光電スイッチＤ１は、前記トランジスタＱ１のベースとそのエミッタとの間に接続される。前記トランジスタＱ２のエミッタは電気抵抗Ｑ６を介して電源モジュール２１から出力された直流電源に接続され、前記トランジスタＱ２のベースは前記トランジスタＱ１のコレクタに接続され、前記トランジスタＱ２のコレクタは前記第１照明ユニット２２に接続される。
【００２９】
また、図２に示すように、前記制御回路基板２０上には、定電圧モジュール２４と、蓄電池２７と、非常用切換スイッチ回路２８と、第２照明ユニット２９とが設けられる。前記定電圧モジュール２４は、前記電源モジュール２１から出力された直流電源を、予め設定された定電圧に変換して蓄電池２７に供給する。前記蓄電池２７は、前記第２照明ユニット２９に給電する。前記非常用切換スイッチ回路２８は、前記蓄電池２７と第２照明ユニット２９との間に接続される。前記非常用切換スイッチ回路２８の制御端子は、前記電源モジュール２１から出力された前記直流電源に接続され、かつ前記電源モジュール２１が給電を停止した場合に前記第２照明ユニット２９が発光するように制御する。ここで、商用電源が正常の場合、前記定電圧モジュール２４は前記蓄電池２７を充電する一方、商用電源が切れた場合、前記非常用切換スイッチ回路２８は、蓄電池２７が前記第２照明ユニット２９に給電するように制御して前記第２照明ユニット２９を点灯させる。こうすることで、商用電源が切れた場合でも非常用照明が実現される。
【００３０】
詳細に、図２に示すように、前記非常用切換スイッチ回路２８は、電気抵抗Ｒ３と、電気抵抗Ｒ４と、ＰＮＰ型トランジスタＱ３とを含む。前記電気抵抗Ｒ３と電気抵抗Ｒ４とは、直列接続して前記直流電源とアースとの間に接続される。前記トランジスタＲ３は、ベースが前記電気抵抗Ｒ３と電気抵抗Ｒ４との接点に接続され、エミッタが前記蓄電池の出力端子に接続され、コレクタが前記第２照明ユニットに接続される。当然ながら、前記非常用切換スイッチ回路は、他の構成の制御回路であってもよいが、上述した構成に限定されない。
【００３１】
具体的に、前記制御基板上には切換スイッチ回路Ｓがさらに設けられ、該切換スイッチ回路ＳはＫ１５−１スイッチである。前記切換スイッチ回路は、第１ピンが前記光電スイッチング回路２３の入力端子に接続され、第２ピンが電気抵抗Ｒ５を介して前記光電スイッチング回路２３の入力端子に接続され、第３ピン及び第４ピンのいずれも前記電源モジュール２１から出力された前記直流電源に接続され、第５ピン、第６ピン及び第７ピンが何も接続されず、第８ピン、第９ピン及び第１２ピンが前記非常用切換スイッチ回路２８の入力端子に接続され、第１０ピン及び第１１ピンが前記蓄電池２７の出力端子に接続される。
上述した構成によれば、前記切換スイッチ回路Ｓは４つの機能を有する。
前記切換スイッチ回路Ｓを第１機能に切り換えると、前記切換スイッチ回路Ｓにおいては、第１ピンと第３ピンとを接続し、第１０ピンと第１２ピンとを接続し、即ち、光電スイッチング回路２３の入力端子を前記電源モジュール２１の出力端子に接続し、前記非常用切換スイッチ回路２８の入力端子を前記蓄電池２７の出力端子に接続する。これにより、本考案は、高輝度の常夜灯の点灯やＡＣパワーダウン時の応急機能を図ることができる。
前記切換スイッチ回路Ｓを第２機能に切り換えると、前記切換スイッチ回路Ｓにおいては、第２ピンと第４ピンとを接続し、第９ピンと第１１ピンとを接続し、即ち、電気抵抗Ｒ５を介して光電スイッチング回路２３の入力端子を前記電源モジュール２１の出力端子に接続し、前記非常用切換スイッチ回路２８の入力端子を前記蓄電池２７の出力端子に接続する。これにより、本考案は、低輝度の常夜灯の点灯やＡＣパワーダウン時の応急機能を図ることができる。
前記切換スイッチ回路Ｓを第３機能に切り換えると、前記切換スイッチ回路Ｓにおいては、第４ピンと第６ピンとを接続し、第７ピンと第９ピンとを接続し、即ち、前記光電スイッチング回路２３の入力端子及び前記非常用切換スイッチ回路２８の入力端子が接続しない。これにより、全ての応急機能を停止することができる。
上述した構成によれば、前記切換スイッチ回路Ｓにおいては、３ピンと４ピンとが電源信号入力端子で、１ピンが第１出力端子で、２ピンが第２出力端子で、５ピンと６ピンとが第３出力端子で、１０ピンと１１ピンとが蓄電信号入力端子で、９ピンと１０ピンと１２ピンとが第４出力端子で、７ピンが第５出力端子である。当然ながら、前記切換スイッチ回路Ｓは、他の切り換えスイッチであってもよく、代わりに複数のオンオフスイッチを使用してもよいが、それらに限定されない。電気抵抗Ｒ５の大きさは、実際の必要に応じてエンジニアによって設計されてもよい。
【００３２】
図５及び図６に示すように、本考案の第２実施形態では、第１実施形態と異なって、前記非常検知用コンセントパネルの保安灯１００'の導電端子は、前記コンセント本体４０における１組の挿し口の位置に対応して前記電源モジュール２１に電気的に接続されるプラグ３０'を含み、前記非常検知用コンセントパネルの保安灯１００'が前記コンセント本体４０に係合して取り付けられた場合、前記プラグ３０'は、前記コンセント本体４０における１組の挿し口内に挿入接続される。本実施形態において、前記コンセント本体４０は、挿し口を２組有する。前記前ケースカバーシート５０'の貫通孔は１つである。図７及び図８に示すように、前記コンセント本体４０は、ベースフレーム４１内に取り付けられる。前記非常検知用コンセントパネルの保安灯１００が前記コンセント本体４０に係合して取り付けられた場合、前記プラグ３０'は、前記コンセント本体４０における１つの挿し口内に挿入接続される。もう１つの挿し口は、前記前ケースカバーシート５０'の貫通孔５２内に露出する。さらに、前記コンセント本体４０は、前記ケースカバーシート５０'上に開設されたネジ孔５１を介して前記収容孔１０１内に固定される。
【００３３】
従来技術に比べて、本考案に係る非常検知用コンセントパネルの保安灯では、ケース内に照明ユニット付きの制御回路基板２０が設置され、光電スイッチング回路２３により照明ユニットの明暗を制御し、ケース１０が従来の二相式コンセント本体４０及び三相式コンセント本体４０に係合することで、従来のコンセントに対してスマート化した常夜灯の照明機能を提供することができる。さらに、本考案では、ケース内に蓄電池２７が設置され、商用電源が切れた状態でも非常照明を供給することが可能で、従来の電源コンセントのスマート化を向上させ、ユーザが在宅の時に安全かつ安心に電気を使用し、家庭電力の給電分野に幅広く適用されることができる。
【００３４】
以上、本考案の好適な実施形態について詳しく説明したが、本考案は上述した実施形態に限定されない。当該技術を熟知する当業者であれば、本考案の精神を脱しない範囲内で各種の変更や修正を加えることができるが、これら変更や修正のいずれも請求の範囲に保護される範囲から逸脱しない。
【図１ａ】
0003210768.tif 000003
【図１ｂ】
0003210768.tif 000004
【図２】
0003210768.tif 000005
【図３】
0003210768.tif 000006
【図４ａ】
0003210768.tif 000007
【図４ｂ】
0003210768.tif 000008
【図５】
0003210768.tif 000009
【図６】
0003210768.tif 000010
【図７】
0003210768.tif 000011
【図８】
0003210768.tif 000012
【手続補正書】
【提出日】平成29年3月10日(2017.3.10)
【手続補正１】
【補正対象書類名】実用新案登録請求の範囲
【補正対象項目名】全文
【補正方法】変更
【補正の内容】
【実用新案登録請求の範囲】
【請求項１】
コンセント本体に係合して取り付けられる非常検知用コンセントパネルの保安灯であって、
ケースを含み、
前記ケースの中間には、コンセント本体を露出させる収容孔が開設され、
前記ケース内には、制御回路基板が取り付けられ、
前記制御回路基板上には、電源モジュールと、第１照明ユニットと、光電スイッチング回路とが設けられ、
前記電源モジュールは、前記コンセント本体から出力された商用電源を直流電源に変換し、
前記光電スイッチング回路は、前記第１照明ユニットと電源モジュールとの間に接続され、かつ外部環境の輝度が所定値以下の場合に前記第１照明ユニットが発光するように制御することを特徴とする非常検知用コンセントパネルの保安灯。
【請求項２】
前記ケースの前面の、前記第１照明ユニットに対応する位置には、透明のランプカバーが設けられることを特徴とする請求項１に記載の非常検知用コンセントパネルの保安灯。
【請求項３】
前記ケースの前面の、光電スイッチに対応する位置には、透光孔が設けられることを特徴とする請求項１に記載の非常検知用コンセントパネルの保安灯。
【請求項４】
前記ケースは、前面パネル及び後面パネルを含み、
前記前面パネルと後面パネルとは、互いに係合して両者の間に収容キャビティが形成され、
前記収容キャビティには、前記制御回路基板が取り付けられ、
前記前面パネル及び後面パネルのいずれかの中間には、前記収容孔が開設されることを特徴とする請求項１に記載の非常検知用コンセントパネルの保安灯。
【請求項５】
前記前面パネルにおける収容孔内には、前ケースカバーシートが嵌着され、
前記前ケースカバーシート上には、前記コンセント本体の挿し口の位置に対応して前記コンセント本体の挿し口を露出させる貫通孔が開設されることを特徴とする請求項４に記載の非常検知用コンセントパネルの保安灯。
【請求項６】
前記貫通孔の数は、前記コンセント本体の挿し口の数に対応することを特徴とする請求項５に記載の非常検知用コンセントパネルの保安灯。
【請求項７】
前記前ケースカバーシート上には、ネジ孔が開設されて前記コンセント本体を固定させることを特徴とする請求項５に記載の非常検知用コンセントパネルの保安灯。
【請求項８】
前記ケース上には、前記電源モジュールに電気的に接続される導電端子がさらに取り付けられ、
前記導電端子は、前記コンセント本体に電気的に接続されることを特徴とする請求項１に記載の非常検知用コンセントパネルの保安灯。
【請求項９】
前記導電端子は、前記コンセント本体の両側の導電シートの位置に対応して前記電源モジュールに電気的に接続される第１導電シートと、前記第１導電シートの外側に位置する位置制限シートとを含み、
前記非常検知用コンセントパネルの保安灯が前記コンセント本体に係合して取り付けられた場合、前記第１導電シートは、前記コンセント本体の両側の導電シートと前記位置制限シートとの間に当接し、かつ前記コンセント本体の両側の導電シートに電気的に接続されることを特徴とする請求項８に記載の非常検知用コンセントパネルの保安灯。
【請求項１０】
前記導電端子は、前記コンセント本体における１組の挿し口の位置に対応して前記電源モジュールに電気的に接続されるプラグを含み、
前記非常検知用コンセントパネルの保安灯が前記コンセント本体に係合して取り付けられた場合、前記プラグは、前記コンセント本体における１組の挿し口内に挿入接続されることを特徴とする請求項８に記載の非常検知用コンセントパネルの保安灯。
【請求項１１】
前記制御回路基板上には、回路がオンになった時における瞬間的な火花を防止するための消弧機構がさらに設けられ、
前記消弧機構は、前記制御回路基板にそれぞれ電気的に接続される２つの第２導電シートを含み、
２つの前記第２導電シートは弾性的に接触して回路を導通させ、
前記ケースの２つの前記第２導電シートの接触箇所には、挿し孔が設けられ、
前記挿し孔に絶縁シートが挿入されて２つの前記第２導電シートを隔離させることにより、回路がオンになった時における消弧効果を得ることを特徴とする請求項１に記載の非常検知用コンセントパネルの保安灯。
【請求項１２】
前記光電スイッチング回路は、ＮＰＮ型トランジスタＱ１と、ＰＮＰ型トランジスタＱ２と、光電スイッチＤ１とを含み、
前記トランジスタＱ１は、コレクタが電気抵抗Ｒ２を介して前記直流電源に接続され、エミッタがアースに接続され、ベースが電気抵抗Ｒ１を介して前記直流電源に接続され、
前記光電スイッチＤ１は、前記トランジスタＱ１のベースとそのエミッタとの間に接続され、
前記トランジスタＱ２は、エミッタが電気抵抗Ｒ３を介して前記直流電源に接続され、ベースが前記トランジスタＱ１のコレクタに接続され、コレクタが前記第１照明ユニットに接続されることを特徴とする請求項１に記載の非常検知用コンセントパネルの保安灯。
【請求項１３】
前記制御回路基板上には、切換スイッチ回路Ｓがさらに設けられ、
前記切換スイッチ回路Ｓは、電源信号入力端子と、第１出力端子と、第２出力端子と、第３出力端子とを含み、
前記電源信号入力端子は、前記直流電源に接続され、
前記第１出力端子は、前記光電スイッチング回路の入力端子に接続され、
前記第２出力端子は、電気抵抗Ｒ５を介して前記光電スイッチング回路の入力端子に接続され、
前記第３出力端子は、どこにも接続されず、
前記切換スイッチ回路Ｓは、前記直流電源を、第１出力端子、第２出力端子、または、第３出力端子に選択的に供給することを特徴とする請求項１に記載の非常検知用コンセントパネルの保安灯。
【請求項１４】
前記制御回路基板上には、定電圧モジュールと、蓄電池と、非常用切換スイッチ回路と、第２照明ユニットとがさらに設けられ、
前記定電圧モジュールは、前記電源モジュールから出力された直流電源を、予め設定された定電圧に変換して蓄電池へ供給し、
前記蓄電池は、前記第２照明ユニットに給電し、
前記非常用切換スイッチ回路は、前記蓄電池と第２照明ユニットとの間に接続され、
前記非常用切換スイッチ回路の制御端子は、前記電源モジュールに接続され、かつ前記電源モジュールが給電を停止した場合に前記第２照明ユニットが発光するように制御することを特徴とする請求項１に記載の非常検知用コンセントパネルの保安灯。
【請求項１５】
前記非常用切換スイッチ回路は、電気抵抗Ｒ３と、電気抵抗Ｒ４と、ＰＮＰ型トランジスタＱ３とを含み、
前記電気抵抗Ｒ３と電気抵抗Ｒ４とは、直列接続して前記直流電源とアースとの間に接続され、
前記トランジスタＱ３は、ベースが前記電気抵抗Ｒ３と電気抵抗Ｒ４との接点に接続され、エミッタが前記蓄電池の出力端子に接続され、コレクタが前記第２照明ユニットに接続されることを特徴とする請求項１４に記載の非常検知用コンセントパネルの保安灯。
【請求項１６】
前記制御回路基板上には、切換スイッチ回路Ｓがさらに設けられ、
前記切換スイッチ回路Ｓは、蓄電信号入力端子と、第４出力端子と、第５出力端子とを含み、
前記蓄電信号入力端子は、前記蓄電池の出力端子に接続され、
前記第４出力端子は、前記非常用切換スイッチ回路の入力端子に接続され、
第５出力端子は、何も接続されなく、
前記切換スイッチ回路Ｓは、前記蓄電池から出力された電気信号を、第４出力端子と第５出力端子とに選択的に送信することを特徴とする請求項１４に記載の非常検知用コンセントパネルの保安灯。
【請求項１７】
前記切換スイッチ回路Ｓは、Ｋ１５−１スイッチであり、
前記切換スイッチ回路は、第１ピンが前記光電スイッチング回路の入力端子に接続され、第２ピンが電気抵抗Ｒ５を介して前記光電スイッチング回路の入力端子に接続され、第３ピン及び第４ピンのいずれも前記直流電源に接続され、第５ピンと第６ピンと第７ピンとが何も接続されなく、第８ピンと第９ピンと第１２ピンとが前記非常用切換スイッチ回路の入力端子に接続され、第１０ピンと第１１ピンとが前記蓄電池の出力端子に接続されることを特徴とする請求項１６に記載の非常検知用コンセントパネルの保安灯。